(57)【要約】【課題】様々なレイアウトが可能であり、再設置や移動も容易な木製パーティションを提供する。【解決手段】長手方向に設けた縦溝内に嵌合凸部を設けた支柱と、長手方向の両端面に、支柱の縦溝との摺動面を有する木製パネルと、長手方向の両端部に、凹部を設けた拘束桟と、からなり、所定の間隔を空けて支柱を立設し、支柱の嵌合凸部と、拘束桟の凹部とが互いに嵌合するように、支柱の縦溝に、複数の木製パネル及び複数の拘束桟を摺動させて組み立て、支柱の高さと木製パネルと拘束桟の合計高さに高低差を設ける。【選択図】図１
2007138583.tif 000002
【特許請求の範囲】
【請求項１】
長手方向に縦溝を設けると共に、前記縦溝内側面に縦溝を横断するように嵌合凸部を設けた支柱と、
前記支柱の縦溝との摺動面を長手方向の両端面に設けた木製パネルと、
前記支柱の嵌合凸部と嵌合可能な凹部を長手方向の両端部に設けた拘束桟と、からなり、
２本の支柱を、前記縦溝が対向するように立設させ、
前記木製パネルを、前記支柱間に対向する縦溝に摺動自在に渡設させ、
前記拘束桟を、前記凹部に前記支柱の嵌合凸部を嵌合自在に、前記支柱間に渡設させた場合に、
前記支柱の高さが、当該支柱間に渡設する前記木製パネルと前記拘束桟の高さ方向の最大膨張時の合計高さ以上であることを特徴とする、
パーティション。
【請求項２】
請求項１に記載のパーティションにおいて、木製パネルの一部を他素材のパネルに置き換えたことを特徴とする、パーティション。
【発明の詳細な説明】
【技術分野】
【０００１】
本発明は、パーティション、間仕切り壁に関するものであり、特にパネル組み立て式パーティションに関するものである。
【背景技術】
【０００２】
従来、広いオフィス空間を、各個人の執務空間や、打ち合わせコーナー、応接コーナーとして仕切る際に、パーティションが用いられている。
【０００３】
パーティションには様々な種類があり、床面と天井を完全にふさいでしまうフルスクリーン型（例えば、特許文献１）や、ローパーティション型などがある。また、パネルの素材にも、ガラスや、アルミ、スクリーン状の布（例えば特許文献２）など、多種多様なバリエーションが存在している。
【特許文献１】特開２００４−１３７８３６号公報
【特許文献２】特開２００３−１９３７３６号公報
【発明の開示】
【発明が解決しようとする課題】
【０００４】
しかし、上記した従来のパーティションには、以下のような問題がある。
（１）パネルの材質や模様は一枚ごとに単一であり、あらかじめ決められたものから選ぶ必要がある。
（２）パネルの材質や模様を変更する場合、および、パーティションの移動や組み方を変更する場合には、設置業者によって新たにパーティションを再設置する必要があり、安易に変更できるものではない。
（３）木製パネルでパーティションを構成する際、木製パネルが使用環境の温度や空気中の湿度に影響され、大きな膨張、収縮を起こしてしまうため、通常のアルミ材質のパネルを木製パネルに置き換えた場合には、木製パネルの伸縮膨張によりパーティションが変形してしまうことがある。
【課題を解決するための手段】
【０００５】
上記のような課題を解決するために、本発明の第１の発明は、長手方向に縦溝を設けると共に、前記縦溝内側面に縦溝を横断するように嵌合凸部を設けた支柱と、前記支柱の縦溝との摺動面を長手方向の両端面に設けた木製パネルと、前記支柱の嵌合凸部と嵌合可能な凹部を長手方向の両端部に設けた拘束桟と、からなり、２本の支柱を、前記縦溝が対向するように立設させ、前記木製パネルを、前記支柱間に対向する縦溝に摺動自在に渡設させ、前記拘束桟を、前記凹部に前記支柱の嵌合凸部を嵌合自在に、前記支柱間に渡設させた場合に、前記支柱の高さが、当該支柱間に渡設する前記木製パネルと前記拘束桟の高さ方向の最大膨張時の合計高さ以上であることを特徴とする、パーティションを提供するものである。
【０００６】
また、本発明の第２の発明は、本発明の第１の発明に記載のパーティションにおいて、木製パネルの一部を他素材のパネルに置き換えたことを特徴とする、パーティションを提供するものである。
【発明の効果】
【０００７】
本発明は、次のような効果を得ることができる。
＜１＞木製パネルおよび拘束桟が摺動するため、木の膨張によるパーティションの変形を防ぐことができる。
木製パネルを隙間なく固定すると、木の膨張により、ねじれや曲がりなどの変形が生じてしまう。逆に、膨張を考慮して、木製パネル間に隙間を設けて固定すると、木の膨張の少ない乾燥した季節には、隙間がそのまま残ってしまう。
本発明では膨張に合わせて木製パネルおよび拘束桟が摺動自在であり、且つ、木製パネルと拘束桟の膨張時の最大高さよりも支柱の高さの方が高く構成しているため、変形することのない木製のパーティションを提供することができる。
＜２＞木製パネルの一部を他素材のパネルに置き換えて、自由に組み合わせることができる。
＜３＞支柱と拘束桟が嵌合する構造であるため、支柱と拘束桟を固定するための連結部材や、木製パネルの端部の加工が不要である。
＜４＞支柱の縦溝に、拘束桟と木製パネルを摺動して組み合わせて構成しているため、分解や移動、再構築が容易である。
【発明を実施するための最良の形態】
【０００８】
以下、図面を参照しながら本発明の一実施の形態について説明する。
＜１＞パーティションの概要
本発明に係るパーティションは、図１に示すように、複数の立設した支柱１０と、支柱１０間に渡設した拘束桟２０と、拘束桟２０と同様に、支柱１０間に渡設した木製パネル３０とにより構成する。
【０００９】
＜２＞支柱
支柱１０は、木製又はアルミ製の柱体であり、図２に示すように、長手方向の側面に縦溝１１を有する。縦溝１１は、下記で述べる拘束桟２０及びパネル３０が摺動可能な幅を有する。
さらに縦溝１１の内側面には、縦溝１１を横断するように、嵌合凸部１２を対称に設ける。
支柱１０は、図３に示すように、縦溝１１を、支柱１０の中心軸から放射状に、複数設けてもよい。これにより、パーティションを連結したり、設置方向に角度をつけたりすることができる。
【００１０】
＜３＞拘束桟
拘束桟２０は、木製又はアルミ製の棒状体である。図４に示すように、長手方向の両端部に凹部２１を有する。凹部２１は、支柱１０の嵌合凸部１２と嵌合する。その際、拘束桟２０の横方向の伸縮膨張を考慮し、間隙を持たせて凹部２１を構成する。
拘束桟２０の長さは、縦溝１１が対向するように立設した支柱１０の嵌合凸部１２と、拘束桟２０の両端の凹部２１が各々嵌合自在な長さとする。
図６に示すように、拘束桟２０の凹部２１と、支柱１０の嵌合凸部１２が嵌合するように、拘束桟２０を支柱１０間に摺動させる。
凹部２１と嵌合凸部１２とが嵌合することにより、支柱１０を拘束し、支柱１０間の間隔を一定に保つことができる。
【００１１】
＜４＞木製パネル
木製パネル３０は、矩形の板体である。この木製パネル３０の厚さは、前記した支柱１０の縦溝１１に摺動可能な厚さとする。
木製パネル３０の横長は、縦溝１１が対向するように立設した支柱１０の嵌合凸部１２間と摺動する長さとする。また、木製パネル３０の横方向の伸縮膨張を考慮して、木製パネル３０と嵌合凸部１２との間に間隙を有するような長さとする。
木製パネル３０には、無垢材の他、間伐材を利用した集成材が利用できる。
特に無垢材は湿度差による伸縮膨張が大きい。伸縮膨張量は、樹種や使用する地域により異なるが、ヒノキを使用した場合、冬季と夏季で、木材１ｍあたり１ｃｍの差が生じることもある。よって、木製パネルを使用する場合には、伸縮膨張を考慮する必要がある。
【００１２】
＜５＞パーティションの組み立て
図１に示すように、支柱１０を、支柱脚１３により、パーティション設置場所の床上および壁側に、縦溝１１を対向させて立設する。
次に、拘束桟２０と木製パネル３０を、縦溝１１に摺動させて、支柱１０間に渡設して組み立てる。
拘束桟２０と木製パネル３０の組み合わせは任意であるが、拘束桟２０の凹部２１と支柱１０が嵌合することで、支柱１０の水平方向への開きを抑える為、拘束桟２０は少なくとも、パーティションの上部と下部に配するように構成する。
このように、特殊な工具を使うことなく、摺動して組み立てるため、分解や移動、および再構築が容易となる。
また、拘束桟２０の凹部２１と、支柱１０の嵌合凸部１２が嵌合することで支柱１０間の間隔が一定に保たれるため、木製パネル３０は各支柱の嵌合凸部１２間を摺動するだけでよく、両端を加工する必要がない。
【００１３】
＜６＞木製パネルの高さ方向の膨張伸縮の吸収
パーティションを組み立てる際には、図５に示すように、支柱１０の高さよりも、木製パネル３０と拘束桟２０の合計高さが低くなるように、高低差ｄを設ける。
木製パネル３０は使用環境の温度や空気中の湿度に影響され、膨張、収縮するが、組み立て後も拘束桟２０及びパネル３０は摺動し、高低差ｄにより、膨張を吸収することができる。
高低差ｄは、使用する拘束桟２０と木製パネル３０の個数から最大膨張量を算出し、その膨張量より大きくなるようにあらかじめ決定する。
【００１４】
＜７＞その他の実施の形態
木製パネル３０は、一部アクリル製やホワイトボード型パネル等、用途に合わせて、任意の素材のパネルを自由に組み合わせて用いることができる。
素材によって膨張率に差があるため、組み合わせ毎に膨張量が異なるが、上記同様に、拘束桟２０及びパネルの摺動、ならびに高低差ｄにより、伸縮膨張を吸収することができる。
【図面の簡単な説明】
【００１５】
【図１】本発明の組み立て工程を示す斜視図。
【図２】本発明の支柱１０と拘束桟２０と木製パネル３０の嵌合構造を示す斜視図。
【図３】本発明の支柱１０の他の実施例を示す断面図。
【図４】本発明の拘束桟２０の斜視図。
【図５】本発明の支柱１０の上部の拡大図。
【符号の説明】
【００１６】
１０・・・支柱
１１・・・縦溝
１２・・・嵌合凸部
１３・・・支柱脚
２０・・・拘束桟
２１・・・凹部
３０・・・木製パネル
ｄ・・・高低差
【図１】
2007138583.tif 000003
【図２】
2007138583.tif 000004
【図３】
2007138583.tif 000005
【図４】
2007138583.tif 000006
【図５】
2007138583.tif 000007